(57)【要約】【課題】スライド部材の上下動を規制するための別部品を用いなくとも、スライド部材の動作不良を効果的に防止することのできる自動販売機を提供する。【解決手段】各支持部材２６の幅方向両端側に、段付きネジ２８が係合する一対の長孔２６ａを互いに上下方向の位置が異なるように設けたので、各長孔２６ａに係合する段付きネジ２８同士の距離Ｌを長くすることができる。これにより、各段付きネジ２８の遊びによるスライド部材２５の幅方向両端側の上下動を小さくすることができ、スライド部材２５の動作不良を効果的に防止することができる。この場合、スライド部材２５の上下動を規制するための別部品を用いる必要がないので、コストを増加させることがないという利点がある。【選択図】図５
2008129623.tif 000002
【特許請求の範囲】
【請求項１】
前面を開口した自動販売機本体と、自動販売機本体内に幅方向に配列され、それぞれ自動販売機本体の前方に引き出し可能に設けられた複数の商品収納コラムと、自動販売機本体側に幅方向に移動自在に設けられ、互いに隣接する商品収納コラムの何れか一方に移動することにより商品収納コラムに係止して前方への移動を規制するストッパと、各商品収納コラムに幅方向に移動自在に設けられ、幅方向一方に移動することによりストッパに当接してストッパを隣接する他の商品収納コラム側に移動させるスライド部材と、スライド部材を幅方向に移動自在に支持する支持部材と、所定の操作部材に連動してスライド部材をストッパとの当接方向に移動させる連動部材とを備え、支持部材またはスライド部材に幅方向に延びる長孔を設け、長孔に係合する複数の段付きネジによりスライド部材を幅方向に移動自在に支持するようにした自動販売機において、
前記長孔を支持部材またはスライド部材の幅方向両端側にそれぞれ設けるとともに、各長孔を互いに上下方向の位置が異なるように配置した
ことを特徴とする自動販売機。
【請求項２】
前記各長孔の少なくとも一方を長手方向一端側が開放されるように形成した
ことを特徴とする請求項１記載の自動販売機。
【請求項３】
前記スライド部材におけるストッパとの当接面をスライド部材の前方及び後方にそれぞれ突出するように形成した
ことを特徴とする請求項１または２記載の自動販売機。
【発明の詳細な説明】
【技術分野】
【０００１】
本発明は、例えば紙パック、缶、ビン、ペットボトル入りの商品を販売する自動販売機に関するものである。
【背景技術】
【０００２】
従来、この種の自動販売機としては、前面を開口した自動販売機本体と、自動販売機本体内に幅方向に配列され、それぞれ自動販売機本体の前方に引き出し可能に設けられた複数の商品収納コラムと、自動販売機本体側に幅方向に移動自在に設けられ、互いに隣接する商品収納コラムの何れか一方に移動することにより商品収納コラムに係止して前方への移動を規制するストッパと、各商品収納コラムに幅方向に移動自在に設けられ、幅方向一方に移動することによりストッパに当接してストッパを隣接する他の商品収納コラム側に移動させるスライド部材と、スライド部材を幅方向に移動自在に支持する支持部材と、所定の操作部材に連動してスライド部材をストッパとの当接方向に移動させる連動部材とを備え、任意の商品収納コラムを前方に引き出すときは、その商品収納コラムとストッパとの係止が解除されるとともに、スライド部材によって他の商品収納コラムにストッパが係止し、引き出された商品収納コラム以外の商品収納コラムが前方へ移動しないようにしたものが知られている（例えば、特許文献１参照。）。
【０００３】
また、スライド部材を商品収納コラムに設けた操作部材と連動させるようにしたものとして、図７に示すように、互いに幅方向一端の上部が当接可能な左右一対のスライド部材１と、各スライド部材１をそれぞれ幅方向に移動自在に支持する支持部材２と、各スライド部材１の幅方向一端の下部に設けられた傾斜部１ａに下方から上方に向かって当接可能な連動部材３と、商品収納コラム４に上下方向に移動自在に設けられた操作部材としてのシャフト５とを備えたものがある。
【０００４】
この自動販売機では、図８に示すようにシャフト５を上方に移動させると、シャフト５の上端が連動部材３に当接し、シャフト５によって連動部材３が上方に移動する。これにより、連動部材３の当接部３ａが各スライド部材１の傾斜部１ａに当接し、連動部材３によって各スライド部材１がそれぞれ商品収納コラム４の幅方向外側に向かって移動するとともに、自動販売機本体側に取付けられたストッパ６がスライド部材１によって隣接する商品収納コラム４側に移動するようになっている。また、支持部材２には幅方向に延びる長孔２ａが設けられ、長孔２ａに係合する一対の段付きネジ７により、スライド部材１が幅方向に移動自在に支持されている。
【特許文献１】特開平９−５５４８２号公報
【発明の開示】
【発明が解決しようとする課題】
【０００５】
ところで、前記自動販売機では、スライド部材１が商品収納コラム４に左右一対に設けられているため、一つのスライド部材１の幅寸法を大きくすることができず、その分だけ段付きネジ７同士の距離Ｌを短くしてスライド部材１の移動量を確保する必要がある。しかしながら、段付きネジ７同士の距離Ｌを短くすると、長孔２ａに対する段付きネジ７の遊びにより、図８の一点鎖線で示すようにスライド部材１の幅方向両端側の上下動が大きくなり、スライド部材１が不安定になって動作不良を生じ易くなる。そこで、従来では、図９に示すように支持部材２にガイド部材８を取付けることにより、ガイド部材８の上端部８ａによって各スライド部材１の上下動を規制するようにしているが、ガイド部材８を取付けた分だけ部品点数が増加し、コストが高くつくという問題点があった。
【０００６】
本発明は前記問題点に鑑みてなされたものであり、その目的とするところは、スライド部材の上下動を規制するための別部品を用いなくとも、スライド部材の動作不良を効果的に防止することのできる自動販売機を提供することにある。
【課題を解決するための手段】
【０００７】
本発明は前記目的を達成するために、前面を開口した自動販売機本体と、自動販売機本体内に幅方向に配列され、それぞれ自動販売機本体の前方に引き出し可能に設けられた複数の商品収納コラムと、自動販売機本体側に幅方向に移動自在に設けられ、互いに隣接する商品収納コラムの何れか一方に移動することにより商品収納コラムに係止して前方への移動を規制するストッパと、各商品収納コラムに幅方向に移動自在に設けられ、幅方向一方に移動することによりストッパに当接してストッパを隣接する他の商品収納コラム側に移動させるスライド部材と、スライド部材を幅方向に移動自在に支持する支持部材と、所定の操作部材に連動してスライド部材をストッパとの当接方向に移動させる連動部材とを備え、支持部材またはスライド部材に幅方向に延びる長孔を設け、長孔に係合する複数の段付きネジによりスライド部材を幅方向に移動自在に支持するようにした自動販売機において、前記長孔を支持部材またはスライド部材の幅方向両端側にそれぞれ設けるとともに、各長孔を互いに上下方向の位置が異なるように配置している。
【０００８】
これにより、各長孔が支持部材またはスライド部材の幅方向両端側に設けられるとともに、互いに上下方向の位置が異なるように配置されていることから、各長孔に係合する段付きネジ同士の距離を長くすることができ、スライド部材の上下動を規制するための別部品を用いることなく、各段付きネジの遊びによるスライド部材の幅方向両端側の上下動を小さくすることができる。
【発明の効果】
【０００９】
本発明の自動販売機によれば、各長孔に係合する段付きネジ同士の距離を長くすることができるので、各段付きネジの遊びによるスライド部材の幅方向両端側の上下動を小さくすることができ、スライド部材の動作不良を効果的に防止することができる。この場合、スライド部材の上下動を規制するための別部品を用いる必要がないので、コストを増加させることがないという利点がある。
【発明を実施するための最良の形態】
【００１０】
図１乃至図６は本発明の一実施形態を示すもので、図１は自動販売機の全体斜視図、図２はその要部分解斜視図、図３及び図４はその要部正面図、図５及び図６はその要部平面図である。
【００１１】
この自動販売機は、前面を開口した自動販売機本体１０と、自動販売機本体１０内に収容された複数の商品収納コラム２０とを備え、自動販売機本体１０の前面開口部は外扉１１によって開閉するようになっている。自動販売機本体１０内には各商品収納コラム２０を収容する商品収納庫１２が設けられ、商品収納庫１２の前面は内扉１３によって開閉するようになっている。商品収納庫１２の内箱１２ａの上面には図示しないガイドレールが設けられ、ガイドレールによって各商品収納コラム２０がそれぞれ前後方向に移動自在に支持されている。また、商品収納庫１２の前端側には商品収納コラム２０に係止することにより商品収納コラム２０の前方への移動を規制する複数のストッパ１４が設けられ、各ストッパ１４は段付きネジ１５によって内箱１２ａの上面に幅方向に移動自在に取付けられている。各ストッパ１４は各商品収納コラム２０の間に対応する位置に設けられ、互いに隣接する一方の商品収納コラム２０側から他方の商品収納コラム２０側に移動することにより、一方の商品収納コラム２０との係止が解除され、他方の商品収納コラム２０と係止するようになっている。
【００１２】
各商品収納コラム２０は自動販売機本体１０の幅方向に配列され、それぞれ商品収納庫１２のガイドレールによって自動販売機本体１の前方に引き出し可能に支持されている。各商品収納コラム２０は一側面を開口した複数の収納部２１を前後方向に配列してなり、各収納部２１には商品が上下方向に積み重ねて収納されるようになっている。各収納部２１の下端側には商品搬出機構２２が設けられ、商品搬出機構２２によって収納部２１の商品を一つずつ下方に落下させて搬出するようになっている。また、商品収納コラム２０の前面側には上下方向に延びる操作部材としてのシャフト２３が設けられ、シャフト２３には商品収納コラム２０の引き出し時に把持するための操作部２３ａが設けられている。シャフト２３は上下方向に移動自在に設けられ、その上端は商品収納コラム２０の上端側に配置されている。また、各商品収納コラム２０には、商品収納コラム２０を自動販売機本体１０側にロックするロック機構（図示せず）が設けられており、ロック機構はシャフト２３を上方に移動させると、これに連動してロックが解除されるようになっている。
【００１３】
また、各商品収納コラム２０には、商品収納コラム２０の上面を覆う天板部材２４と、幅方向に移動することによりストッパ１４を隣接する他の商品収納コラム２０側に移動させる左右一対のスライド部材２５と、各スライド部材２５をそれぞれ幅方向に移動自在に支持する左右一対の支持部材２６と、シャフト２３に連動して各スライド部材２５を幅方向に移動させる連動部材２７が設けられている。
【００１４】
天板部材２４は幅方向両端にそれぞれ側壁部２４ａを有し、各側壁部２４ａの前端にはストッパ１４が係止する係止部２４ｂが設けられている。即ち、ストッパ１４が商品収納コラム２０側に移動すると、図５に示すように係止部２７ｂの前方にストッパ１４が位置し、ストッパ１４によって商品収納コラム２０の前方への移動が規制されるようになっている。また、天板部材２４の底面には、シャフト２３の上端側を挿通する挿通孔２４ｃと、連動部材２７が取付けられる左右一対の取付片２４ｄがそれぞれ設けられている。
【００１５】
各スライド部材２５は平板状の部材からなり、商品収納コラム２０の幅方向両側にそれぞれ配置されている。各スライド部材２５の幅方向一端にはストッパ１４に当接する第１の当接部２５ａが設けられ、第１の当接部２５ａの当接面はスライド部材２５の一端から前方及び後方にそれぞれ突出するように形成されている。各スライド部材２５の幅方向他端の上部には、互いに当接する第２の当接部２５ｂがそれぞれ設けられ、第２の当接部２５ｂはスライド部材２５の他端から後方に突出するように形成されている。また、各スライド部材２５の幅方向他端の下部には傾斜部２５ｃが設けられ、傾斜部２５ｃは下方に向かってスライド部材２５の幅方向一端側に傾斜するように形成されている。
【００１６】
各支持部材２６は天板部材２４の前端部に一体に形成され、互いに幅方向に間隔をおいて設けられている。各支持部材２６の幅方向両端側には段付きネジ２８を係合する一対の長孔２６ａが互いに上下方向の位置が異なるように設けられ、各長孔２６ａはそれぞれ一端側が幅方向に開放されるように形成されている。各長孔２６ａにはそれぞれ段付きネジ２８が一つずつ挿入され、各段付きネジ２８はスライド部材２５に設けたネジ孔２５ｄにそれぞれ螺合している。これにより、スライド部材２５は、支持部材２６に幅方向に移動自在に支持されるとともに、その幅方向両端側が支持部材２６から幅方向に出没するようになっている。
【００１７】
連動部材２７は天板部材２４に取付けられた平板状の部材からなり、その後端側をピン２９を介して天板部材２４の取付片２４ｄに回動自在に支持されている。連動部材２７の前端側には幅方向に延びる第１の係止片２７ａが設けられ、第１の当接片２７ａにはシャフト２３の上端が下方から上方に向かって当接するようになっている。また、連動部材２７の前端側には前方に延びる第２の当接片２７ｂが設けられ、第２の当接片２７ｂはスライド部材２５の傾斜部２５ｃに下方から上方に向かって当接するようになっている。
【００１８】
以上のように構成された自動販売機において、商品の補充を行う場合は、自動販売機本体１０の外扉１１を開放して任意の商品収納コラム２０を前方へ引き出す。その際、シャフト２３の操作部２３ａを把持して上方に持ち上げると、図示しないロック機構が解除されるとともに、図６に示すようにシャフト２３の上端が連動部材２７の第１の当接片２７ａに当接し、連動部材２７の第２の当接片２７ｂがスライド部材２５の傾斜部２５ｃに当接する。これにより、傾斜部２５ｃが第２の当接片２７ｂに案内されながらスライド部材２５が商品収納コラム２０の幅方向外側に向かって移動するとともに、スライド部材２５の第１の当接部２５ａがストッパ１４の幅方向一端に当接し、ストッパ１４がスライド部材２５によって隣接する他の商品収納コラム２０側に移動する。これにより、引き出そうとする商品収納コラム２０に対するストッパ１４の係止が解除され、その商品収納コラム２０が前方へ引き出し可能となる。また、隣接する他の商品収納コラム２０では、前記動作により幅方向一端側のストッパ１４が一方のスライド部材２５の第１の当接部２５ａに当接するとともに、一方のスライド部材２５の第２の当接部２５ｂが他方のスライド部材２５の第２の当接部２５ｂに当接し、他方のスライド部材２５の第１の当接部２５ａが幅方向他端側のストッパ１４に当接することにより、隣接する他の商品収納コラム２０側に幅方向他端側のストッパ１４が移動する。即ち、引き出そうとする商品収納コラム２０から隣接する他の商品収納コラム２０側にストッパ１４が移動すると、他の全ての商品収納コラム２０にストッパ１４が係止するようになり、引き出された商品収納コラム２０以外の商品収納コラム２０の前方への移動が規制される。
【００１９】
本実施形態では、各支持部材２６の幅方向両端側に一対の長孔２６ａが互いに上下方向の位置が異なるように設けられていることから、各長孔２６ａに係合する段付きネジ２８同士の距離Ｌを長くすることができる。これにより、各段付きネジ２８の遊びによるスライド部材２５の幅方向両端側の上下動を小さくすることができ、スライド部材２５の動作不良を効果的に防止することができる。この場合、スライド部材２５の上下動を規制するための別部品を用いる必要がないので、コストを増加させることがないという利点がある。
【００２０】
また、各長孔２６ａを長手方向一端側が開放されるように形成したので、長手方向一端側を開放させない場合よりも各長孔２６ａを支持部材２６の幅方向両端寄りに配置することができ、段付きネジ２８同士の距離Ｌをより一層長くすることができる。
【００２１】
更に、スライド部材２５の第１の当接部２５ａにおけるストッパ１４との当接面をスライド部材２５の前方及び後方にそれぞれ突出するように形成したので、スライド部材２５及びストッパ１４が前後方向に位置ずれを生じても、スライド部材２５とストッパ１４とを確実に当接させることができ、動作不良をより効果的に防止することができる。
【００２２】
尚、前記実施形態では、支持部材２６に長孔２６ａを設けたものを示したが、スライド部材２５に長孔を設けるようにしてもよい。
【図面の簡単な説明】
【００２３】
【図１】本発明の一実施形態を示す自動販売機の全体斜視図
【図２】自動販売機の要部分解斜視図
【図３】自動販売機の要部正面図
【図４】自動販売機の要部正面図
【図５】自動販売機の要部平面図
【図６】自動販売機の要部平面図
【図７】従来例を示す自動販売機の要部正面図
【図８】従来例を示す自動販売機の要部正面図
【図９】従来例を示す自動販売機の要部正面図
【符号の説明】
【００２４】
１０…自動販売機本体、１４…ストッパ、２０…商品収納コラム、２３…シャフト、２５…スライド部材、２５ａ…第１の当接部、２６…支持部材、２６ａ…長孔、２７…連動部材、２８…段付きネジ。
【図１】
2008129623.tif 000003
【図２】
2008129623.tif 000004
【図３】
2008129623.tif 000005
【図４】
2008129623.tif 000006
【図５】
2008129623.tif 000007
【図６】
2008129623.tif 000008
【図７】
2008129623.tif 000009
【図８】
2008129623.tif 000010
【図９】
2008129623.tif 000011